(57)【要約】【課題】記載内容の読取りを容易かつ正確にすることができる読取用紙及び読取システムを提供する。【解決手段】読取システム１は、タクシーチケット１０の画像を生成する画像生成部２０１と、画像生成部２０１より生成されたタクシーチケット１０の画像を解析することにより、前記マーク欄４０Ａ、４０Ｂ、４０Ｃそれぞれにおいてどの表示欄５０、６０、７０、８０が選択されているかを認識することにより、前記項目欄３０で表される内容の認識処理を行う認識部２０２とを備える。【選択図】図１
2019036108.tif 000002
【特許請求の範囲】
【請求項１】
読取装置で読み取るための項目欄が設けられた読取用紙であって、
前記項目欄には、複数のマーク欄が設けられており、
前記マーク欄それぞれには、０から９までのそれぞれの数字を表示する１０個の数字表示欄が設けられていることを特徴とする読取用紙。
【請求項２】
前記マーク欄には、前記項目欄で表される内容を取り消すための取消欄が設けられていることを特徴とする請求項１に記載の読取用紙。
【請求項３】
前記項目欄には金額を表す金額欄が含まれ、
前記金額欄に設けられた各桁に対応する前記マーク欄には、０から９までのそれぞれの数字を表示する１０個の数字表示欄に加えて、￥マークを表示する￥マーク表示欄が設けられていることを特徴とする請求項１又は２に記載の読取用紙。
【請求項４】
前記項目欄にはコードを表すコード欄が含まれ、
前記コード欄に設けられた複数の前記マーク欄には、０から９までのそれぞれの数字を表示する１０個の数字表示欄に加えて、アルファベットを表示するアルファベット表示欄が設けられていることを特徴とする請求項１から３の何れか１項に記載の読取用紙。
【請求項５】
請求項３又は４に記載の読取用紙から前記項目欄を読み取る読取システムであって、
前記読取用紙の画像を生成する画像生成手段と、
前記画像生成手段により生成された前記読取用紙の画像を解析することにより、前記マーク欄それぞれにおいてどの表示欄が選択されているかを認識することにより、前記項目欄で表される内容の認識処理を行う認識手段と
を備えたことを特徴とする読取システム。
【請求項６】
前記認識手段は、少なくとも１つの前記マーク欄に設けられた前記取消欄が選択されていると認識した場合、前記読取用紙に表示された前記項目欄で表される内容全てが取り消されたと認識することを特徴とする請求項５に記載の読取システム。
【請求項７】
前記認識手段は、前記項目欄が金額欄である場合、最下位桁のマーク欄から順に該マーク欄で表される数字の認識処理を行い、前記￥マーク表示欄が選択されているマーク欄が存在した場合、該￥マーク表示欄が選択されているマーク欄より上位桁のマーク欄の認識処理を行わないことを特徴とする請求項５又は６記載の読取システム。
【発明の詳細な説明】
【技術分野】
【０００１】
本発明は、読取装置で読み取るための項目欄が設けられた読取用紙及び読取システムに関する。
【背景技術】
【０００２】
従来、会社の業務等でタクシーを使用した場合に、タクシー料金の支払いにタクシーチケットを利用することが行われている。
タクシーチケットは、タクシー会社やクレジットカード会社によって、タクシーチケットの利用契約を締結した企業等に発行される。そして、企業の従業員や企業の得意先がタクシーを利用した際に、利用者はタクシーチケットをタクシー運転手に手渡す。タクシー会社はタクシー運転手からタクシーチケットを回収し、当該タクシーチケットに記載されているタクシー料金をコンピュータに入力して企業毎にタクシー料金を集計し、当該タクシー料金の請求書を発行する。請求書の発行を受けた企業は、当該請求書に添付されたタクシーチケットをチェックして、タクシー料金の支払いを行う。
【０００３】
タクシー会社におけるこのようなタクシー料金の入力・集計作業は、かなりの事務負担となっている。タクシー料金の集計作業の事務負担を軽減する技術として、特許文献１には、タクシーチケットにＯＣＲ読取用の記入欄を設けてＯＣＲ認識を行うことが記載されている。
【先行技術文献】
【特許文献】
【０００４】
【特許文献１】特開２００２−５６４１８号公報
【発明の概要】
【発明が解決しようとする課題】
【０００５】
しかしながら、手書きの文字はＯＣＲ認識率が低いため、ＯＣＲで正確に金額の認識ができているかをチェックする作業や、ＯＣＲで認識できなかったタクシーチケットについて手入力を行う作業が必要となり、事務負担の軽減とならない場合がある。
【０００６】
本発明は、上述した問題点を解決するためになされたものであり、記載内容の読取りを容易かつ正確にすることができる読取用紙及び読取システムを提供することを目的とする。
【課題を解決するための手段】
【０００７】
上記目的の少なくとも１つを達成するために、本発明に係る読取用紙は、読取装置で読み取るための項目欄が設けられた読取用紙であって、前記項目欄には、複数のマーク欄が設けられており、前記マーク欄それぞれには、０から９までのそれぞれの数字を表示する１０個の数字表示欄が設けられていることを特徴とする。
本発明によれば、項目欄に設けられたマーク欄それぞれには、０から９までのそれぞれの数字を表示する１０個の数字表示欄が設けられているため、各マーク欄に設けられた１０個の数字表示欄のうち１つを塗り潰す等により選択することで、読取装置で誤りなく各マーク欄で選択された数字を読み取ることができる。
【０００８】
上記発明において、前記マーク欄には、前記項目欄で表される内容を取り消すための取消欄が設けられていることを特徴とする。
本発明によれば、前記取消欄を塗り潰す等により選択することで、前記項目欄で表される内容が取り消されたことを表すことができ、前記取消欄が選択されていることを読取装置で容易かつ正確に読み取ることができる。
【０００９】
上記発明において、前記項目欄には金額を表す金額欄が含まれ、前記金額欄に設けられた各桁に対応する前記マーク欄には、０から９までのそれぞれの数字を表示する１０個の数字表示欄に加えて、￥マークを表示する￥マーク表示欄が設けられていることを特徴とする。
本発明によれば、前記マーク欄には、￥マークを表示する￥マーク表示欄が設けられているため、前記項目欄が金額欄であることを表現することができ、￥マークにより金額欄で表される金額の改ざんを防ぎ、また認識装置による金額の認識処理を効率化することができる。
【００１０】
上記発明において、前記項目欄にはコードを表すコード欄が含まれ、前記コード欄に設けられた複数の前記マーク欄には、０から９までのそれぞれの数字を表示する１０個の数字表示欄に加えて、アルファベットを表示するアルファベット表示欄が設けられていることを特徴とする。
本発明によれば、前記マーク欄には、アルファベットを表示するアルファベット表示欄が設けられているため、数字又はアルファベットで各種コードを表すことができ、読取装置で誤りなく各マーク欄で選択された数字又はアルファベットを読み取ることができる。
【００１１】
また、本発明に係る読取システムは、前記読取用紙から前記項目欄を読み取る読取システムであって、前記読取用紙の画像を生成する画像生成手段と、前記画像生成手段により生成された前記読取用紙の画像を解析することにより、前記マーク欄それぞれにおいてどの表示欄が選択されているかを認識することにより、前記項目欄で表される内容の認識処理を行う認識手段とを備えたことを特徴とする。
本発明によれば、読取システムは読取用紙に記載された内容を容易かつ正確に読み取ることができる。
【００１２】
上記発明において、前記認識手段は、少なくとも１つの前記マーク欄に設けられた前記取消欄が選択されていると認識した場合、前記読取用紙に表示された前記項目欄で表される内容全てが取り消されたと認識することを特徴とする。
本発明によれば、読取システムは、項目欄で表される内容全てが取り消されたことを容易かつ正確に読み取ることができる。また、記入者は読取用紙の取消欄を１箇所チェックするだけで項目欄で表される内容全ての取消を行うことができる。
【００１３】
上記発明において、前記認識手段は、前記項目欄が金額欄である場合、最下位桁のマーク欄から順に該マーク欄で表される数字の認識処理を行い、前記￥マーク表示欄が選択されているマーク欄が存在した場合、該￥マーク表示欄が選択されているマーク欄より上位桁のマーク欄の認識処理を行わないことを特徴とする
本発明によれば、前記￥マーク表示欄が選択されているマーク欄が存在した場合、該￥マーク表示欄が選択されているマーク欄より上位桁のマーク欄の認識処理を行わないようにすることで、処理を効率化し、処理時間を短縮することができる。
【図面の簡単な説明】
【００１４】
【図１】本発明の実施形態に係る読取システムの全体構成図である。
【図２】同実施形態に係るタクシーチケットのレイアウトの一例を示す図である。
【図３】同実施形態に係るタクシーチケットの数字欄のマーク欄のレイアウトの一例を示す図である。
【図４】同実施形態に係るタクシーチケットの金額欄のマーク欄のレイアウトの一例を示す図である。
【図５】同実施形態に係るタクシーチケットのコード欄のマーク欄のレイアウトの一例を示す図である。
【図６】位置項目対応データベースに記憶されているデータの一例を示す図である。
【図７】同実施形態に係る読取システムを構成する読取装置の機能構成を示すブロック図である。
【図８】同実施形態に係る読取システムが行うタクシーチケットの精算処理の手順を示すフローチャートである。
【図９】同実施形態に係るタクシーチケットの金額欄のマーク欄のレイアウトの変形例を示す図である。
【発明を実施するための形態】
【００１５】
以下、図面を参照して、本発明に係る読取用紙をタクシーチケットに適用した場合の実施形態について詳細に説明する。
図１は、本発明の実施形態に係る読取システム１の全体構成図である。同図に示すように、読取システム１は、タクシーチケット１０と、読取装置２０と、を備えている。読取装置２０には、タクシーチケット１０の画像を読み取るスキャナ２１と、タクシーチケット１０で精算したタクシー料金を請求する請求書等を印刷するためのプリンタ２２と、が接続されている。読取装置２０はタクシー料金の精算処理を行うタクシー会社や会計処理を行う企業に設置されている。
【００１６】
図２は、タクシーチケット１０のレイアウトの一例を示す図である。タクシーチケット１０は例えば冊子として綴じられ、キリトリ線で控えからタクシーチケット１０の部分を切り取って使用するようになっている。
同図に示すように、タクシーチケット１０には、発券番号、使用者名、得意先名、使用年月日、乗車区間、使用会社名、料金等の記入欄が設けられている。また、タクシーチケット１０には、スキャナ２１で読み取るための項目欄３０が設けられている。項目欄３０には、日付等の数字を表す数字欄３０Ａと、タクシー料金を表す金額欄３０Ｂと、部門コード等の数字とアルファベットの少なくとも一方を含むコードを表すコード欄３０Ｃと、が存在する。以下では、数字欄３０Ａと金額欄３０Ｂとコード欄３０Ｃと、を総称して指し示すときは、「項目欄３０」と表記する。
【００１７】
数字欄３０Ａには、複数のマーク欄４０Ａが設けられている。図２に示す例では、数字欄３０Ａにより使用年月日を表すことができるように、８つ（年：４つ、月：２つ、日：２つ）のマーク欄４０Ａが設けられている。なお、マーク欄４０Ａは、表現する数字の種類に応じて任意の数だけ設けることができる。
金額欄３０Ｂには、金額の各桁に対応するマーク欄４０Ｂが設けられている。図２に示す例では、７つのマーク欄４０Ｂが設けられており、７桁（７桁目を￥マークとした場合には６桁）の金額を表すことができる。なお、マーク欄４０Ｂは、会社のタクシー料金の利用限度額等に応じて任意の数だけ設けることができる。
また、図２に示す例では、社員番号、部門コード、顧客番号、催事コードそれぞれに対応するコード欄３０Ｃが設けられている。各コード欄３０Ｃには、複数のマーク欄４０Ｃが設けられている。図２に示す例では、各コード欄３０Ｃには６つのマーク欄４０Ｃが設けられている。なお、マーク欄４０Ｃは、表現するコードの桁数に応じて任意の数だけ設けることができる。
【００１８】
図３は、図２に示す数字欄３０Ａを構成する１つのマーク欄４０Ａの拡大図であって、マーク欄４０Ａのレイアウトの一例を示す図である。同図に示すように、マーク欄４０Ａには、０から９までのそれぞれの数字を表示する１０個の数字表示欄５０が設けられている。また、マーク欄４０Ａには、項目欄３０の内容を取り消すための取消欄６０が設けられている。
図４は、図２に示す金額欄３０Ｂを構成する１つのマーク欄４０Ｂの拡大図であって、マーク欄４０Ｂのレイアウトの一例を示す図である。同図に示すように、マーク欄４０Ｂには、０から９までのそれぞれの数字を表示する１０個の数字表示欄５０が設けられている。また、マーク欄４０Ｂには、項目欄３０の内容を取り消すための取消欄６０と、金額の先頭を示す￥マーク表示欄７０と、が設けられている。
図５は、図２に示すコード欄３０Ｃを構成する１つのマーク欄４０Ｃの拡大図であって、マーク欄４０Ｃのレイアウトの一例を示す図である。同図に示すように、マーク欄４０Ｃには、０から９までのそれぞれの数字を表示する１０個の数字表示欄５０と、アルファベットを表示するアルファベット表示欄８０と、が設けられている。表示されるアルファベットとしては、コードを表現するために使用されるアルファベットが予め印刷されている。本実施形態では、Ａ〜Ｅまでの５つのアルファベットが印刷されている。また、マーク欄４０Ｃには、項目欄３０の内容を取り消すための取消欄６０が設けられている。
【００１９】
マーク欄４０Ａ、Ｂ、Ｃに設けられた１０個の数字表示欄５０のうち、何れか１つの数字表示欄５０をボールペンや鉛筆で塗り潰すことで、当該マーク欄４０Ａ、Ｂ、Ｃで表される数字は、塗り潰された数字であると読取装置２０に認識させることができる。
また、マーク欄４０Ｃに設けられた５個のアルファベット表示欄８０のうち、何れか１つのアルファベット表示欄８０をボールペンや鉛筆で塗り潰すことで、当該マーク欄４０Ｃで表されるアルファベットは、塗り潰されたアルファベットであると読取装置２０に認識させることができる。
また、マーク欄４０Ｂに設けられた￥マーク表示欄７０を塗り潰すことで、金額の先頭を表すことができ、￥マーク表示欄７０が塗り潰されているマーク欄４０Ｂよりも左側（すなわち、上記桁）のマーク欄４０Ｂを読取装置２０に認識処理を行わせないようにすることができる。これにより、処理を効率化し処理時間を短縮することができる。
【００２０】
また、何れかのマーク欄４０Ａ、４０Ｂ、４０Ｃに設けられた取消欄６０を塗り潰すことで、読取装置２０にタクシーチケット１０に表示された項目欄３０で表される内容が全て取り消されたことを認識させることができ、項目欄３０全ての内容の取消を容易に行うことができる。
【００２１】
なお、本実施形態では、数字表示欄５０、取消欄６０、￥マーク表示欄７０及びアルファベット表示欄８０を選択したことを表現するためにボールペンや鉛筆で塗り潰しているが、これに限らず、円で囲ってもよいし、レ点でマークしてもよい。ただし、塗り潰した方が、読取装置２０による認識精度を向上させることができる。
【００２２】
スキャナ２１は、原稿台と、画像照射ランプと、ＣＣＤ（Charge Coupled Device）センサーと、を備える。スキャナ２１は、画像照射ランプで原稿台に載置されたタクシーチケット１０を照射し、その反射光をＣＣＤセンサーで受光することにより、タクシーチケット１０の画像を読み取る。
【００２３】
読取装置２０は、例えば、パーソナルコンピュータであり、ハードウエアとして、ＣＰＵ（Central Processing Unit）と、ＲＡＭ、ＲＯＭ、ハードディスク等の記憶装置と、スキャナ２１、プリンタ２２等の外部機器との入出力インターフェースと、を備えている。
ハードディスクには、各種データ及びプログラムが記憶されている。ハードディスクに記憶されている各種プログラムとしては、タクシーチケット１０をスキャナ２１で読み取るためのプログラム、読み取ったタクシーチケット１０の画像を解析してタクシーチケット１０に記載された数字、金額及びコードを認識するためのプログラム等が存在する。
【００２４】
ハードディスクに記憶されている各種データとしては、タクシーチケット１０上の位置データと項目欄３０とを対応付けるデータを予め記憶する位置項目対応データベース２３が存在する。図６には、位置項目対応データベース２３に記憶されているデータの一例を示す。同図に示す例では、タクシーチケット１０上の金額欄３０Ｂ、マーク欄４０Ｂ、数字表示欄５０、取消欄６０、￥マーク表示欄７０等の項目の位置が座標で表されている。なお、図４に示す位置項目対応データベース２３に記憶される位置データは一例に過ぎず、項目が配置される領域の形状や大きさに応じて位置データを保持することができる。例えば、項目欄３０や数字表示欄５０等の項目が配置される領域が大きい矩形である場合には、当該項目欄３０の矩形領域の左上座標と右下座標で位置データを表してもよいし、当該項目欄３０や数字表示欄５０が配置される領域が小さい場合には中心位置の座標のみで位置データを表してもよい。
【００２５】
読取装置２０のＣＰＵがハードディスクに記憶されたプログラムに従って処理を実行することにより図７に示す機能が読取装置２０に実現される。
画像生成部２０１は、スキャナ２１を含んで構成され、スキャナ２１に読取指示を送信することにより、スキャナ２１でタクシーチケット１０を読み取ってタクシーチケット１０の画像を生成する。
【００２６】
認識部２０２は、タクシーチケット１０の画像生成部２０１により生成されたタクシーチケット１０の画像を解析することにより、項目欄３０を構成するマーク欄４０Ａ、４０Ｂ、４０Ｃそれぞれにおいてどの表示欄５０、６０、７０、８０が選択されているかを認識することにより、項目欄３０で表される内容の認識処理を行う。具体的には、認識部２０２は、位置項目対応データベース２３に基づいて、タクシーチケット１０の画像の中から項目欄３０を抽出し、当該抽出された項目欄３０に設けられたマーク欄４０Ａ、４０Ｂ、４０Ｃそれぞれにおいて、塗り潰されている（すなわち選択されている）１つの表示欄５０、６０、７０、８０を認識し、当該１つの表示欄５０、６０、７０、８０に対応する内容（数字、アルファベット、￥マーク、取消）を認識する。
認識方法としては、例えば、認識部２０２は、塗り潰された領域の位置座標が位置項目対応データベース２３に予め記憶された複数の位置座標の何れを包含するか、或いは最も距離が近いかを判定し、当該判定された位置座標に対応付けられた内容に変換する。
【００２７】
また、認識部２０２は、金額欄３０Ｂを認識する場合には、最下位桁のマーク欄４０Ｂから順に当該マーク欄４０Ｂで表される数字の認識処理を行い、￥マーク表示欄７０が選択されているマーク欄４０Ｂが存在した場合、当該￥マーク表示欄７０が塗り潰されているマーク欄４０の右側のマーク欄４０が金額の先頭と認識し、当該￥マーク表示欄が選択されているマーク欄４０Ｂより左側（すなわち上位桁）のマーク欄４０Ｂの認識処理を行わない。これにより処理を効率化することができ、処理時間を短縮することができる。
【００２８】
また、認識部２０２は、少なくとも１つのマーク欄４０Ａ、４０Ｂ、４０Ｃに設けられた取消欄６０が選択されていると認識した場合、当該タクシーチケット１０に表示された項目欄３０で表される内容が全て取り消されたと認識する。これにより、タクシーチケット１０の記入者は、全ての取消欄６０を塗り潰さなくても、タクシーチケット１０に記載された項目欄３０の内容全ての取消を容易に行うことができる。なお、全て取り消すことに限定されることはなく、取消欄６０が選択されているマーク欄４０Ａ、４０Ｂ、４０Ｃのみを取消対象としてもよいし、取消欄６０が選択されているマーク欄４０Ａ、４０Ｂ、４０Ｃを含む項目欄３０のみを取消対象としてもよい。
【００２９】
次に、図８に示すフローチャートを参照して、上記構成の読取システム１が行うタクシーチケット１０の精算処理について説明する。
まず、精算処理の作業者は、回収したタクシーチケット１０のうち、ある企業のタクシーチケット１０をスキャナ２１の読取台に載置し、読取装置２０を操作して、タクシーチケット１０をスキャナ２１で読み取る操作を行う。
これにより、読取装置２０の画像生成部２０１は、スキャナ２１に読取指示を送信する。スキャナ２１は、画像照射ランプで原稿台に載置されたタクシーチケット１０を照射し、その反射光をＣＣＤセンサーで受光することにより、タクシーチケット１０の画像を読み取り、当該読み取った画像を読取装置２０に送信する（ステップＳ１０１）。
【００３０】
次に、スキャナ２１から画像を受け取った読取装置２０の認識部２０２は、タクシーチケット１０の項目欄３０の認識処理を行う。具体的には、認識部２０２は、位置項目対応データベース２３に基づいて、タクシーチケット１０の画像の中から項目欄３０を抽出し、当該抽出された項目欄３０に設けられた各マーク欄４０Ａ、４０Ｂ、４０Ｃを抽出する。図１に示す例では、使用年月日、タクシー料金、社員番号、部門コード、顧客番号、催事コードのマーク欄４０Ａ、４０Ｂ、４０Ｃを抽出する。そして、認識部２０２は、各マーク欄４０Ａ、４０Ｂ、４０Ｃにおいてどの表示欄５０、６０、７０、８０が塗り潰されているかを認識することで、各項目欄３０の内容を認識する（ステップＳ１０２）。なお、１つのマーク欄において２つ以上の表示欄５０、６０、７０、８０が塗り潰されていると判定した場合にはエラーメッセージを表示し処理を終了する。
【００３１】
次に、読取装置２０はステップＳ１０２で認識したタクシー料金を、使用年月日、社員番号、部門コード、顧客番号、催事コード毎に集計する（ステップＳ１０３）。
そして、読取装置２０は集計したタクシー料金を請求するための請求書データを作成し、当該請求書データをプリンタ２２に送信する。プリンタ２２は請求書データを受信し、当該請求書データに従って請求書を印刷する（ステップＳ１０４）。作業者は、請求書と、請求明細書と、タクシーチケット１０と、を企業に郵送する。
【００３２】
請求書を受け取った企業は、請求明細書とタクシーチケット１０をチェックして、タクシー料金の支払いを行う。なお、企業は、自社内で読取装置２０を用いて認識処理を行い、催事コードに基づいて社内の経費の仕分けを行うこともできる。
【００３３】
以上説明したように、タクシーチケット１０の項目欄３０には、複数のマーク欄４０Ａ、４０Ｂ、４０Ｃが設けられており、項目欄３０に設けられたマーク欄４０Ａ、４０Ｂ、４０Ｃそれぞれには、０から９までのそれぞれの数字を表示する１０個の数字表示欄５０が設けられているため、各マーク欄４０Ａ、４０Ｂ、４０Ｃに設けられた１０個の数字表示欄５０のうち１つを塗り潰す等により選択することで、読取装置２０は、手書き文字を認識するよりも。誤りなく各マーク欄４０Ａ、４０Ｂ、４０Ｃで選択された内容（数字、アルファベット、￥マーク、取消）を読み取ることができる。
【００３４】
また、取消欄６０を塗り潰すことで、項目欄３０で表される内容が全て取り消されたことを表すことができる。また、取消欄６０が塗り潰されている、すなわち選択されていることを読取装置２０で誤りなく読み取ることができる。
また、読取装置２０は、￥マーク表示欄７０が塗り潰されていることを認識した場合、そこで認識処理を終了し、その左側の上位桁のマーク欄４０Ｂの認識を行わないため、処理を効率化し、処理時間を短縮することができる。
【００３５】
なお、上述した実施形態におけるタクシーチケット１０のレイアウト、項目欄３０、マーク欄４０Ａ、４０Ｂ、４０Ｃのレイアウトは一例に過ぎない。例えば、マーク欄４０Ａ、４０Ｂ、４０Ｃは矩形に限らず、図７に示すように円形であってもよい。また、アルファベット表示欄８０の数は表すコードに応じて例えば４つ設けてもよい。また、上述した実施形態では、スキャナ２１でタクシーチケット１０の画像を生成したが、これに限らず、カメラで撮影することによりタクシーチケット１０の画像を生成してもよい。また、タクシー料金の桁が大きくなりマーク欄４０Ｂの数が足りない場合には、￥マーク表示欄７０を塗り潰さずに利用してもよい。
【００３６】
また、上述した実施形態では、本発明に係る読取用紙をタクシーチケット１０に適用したが、タクシーチケット１０以外にも、領収書等、金額を手書きで記載する用紙に適用することができる。領収書に適用した場合には、金額の改ざんを防ぐことができる。コード欄３０Ｃについては、日付、社員番号、部門コード、顧客番号、催事コード以外にも、数字とアルファベットを組み合わせて表現するコードに利用することができる。
【符号の説明】
【００３７】
１・・・・読取システム
１０・・・読取用紙
２０・・・読取装置
２１・・・スキャナ
２２・・・プリンタ
２３・・・位置項目対応データベース
２０１・・画像生成部
２０２・・認識部
３０（３０Ａ、３０Ｂ、３０Ｃ）・・・項目欄
３０Ａ・・数字欄
３０Ｂ・・金額欄
３０Ｃ・・コード欄
４０Ａ、４０Ｂ、４０Ｃ・・・マーク欄
５０・・・数字表示欄
６０・・・取消欄
７０・・・￥マーク表示欄
８０・・・アルファベット表示欄
【図１】
2019036108.tif 000003
【図２】
2019036108.tif 000004
【図３】
2019036108.tif 000005
【図４】
2019036108.tif 000006
【図５】
2019036108.tif 000007
【図６】
2019036108.tif 000008
【図７】
2019036108.tif 000009
【図８】
2019036108.tif 000010
【図９】
2019036108.tif 000011
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
項目欄が設けられた読取用紙を読取装置で読み取り、該読み取られた項目欄の認識処理を行う読取システムであって、
前記読取用紙の前記項目欄には、複数のマーク欄が設けられており、
前記マーク欄それぞれには、０から９までのそれぞれの数字を表示する１０個の数字表示欄が設けられており、
前記項目欄には金額を表す金額欄が含まれ、
前記金額欄に設けられた各桁に対応する前記マーク欄には、０から９までのそれぞれの数字を表示する１０個の数字表示欄に加えて、￥マークを表示する￥マーク表示欄が設けられており、
前記読取用紙の画像を生成する画像生成手段と、
前記画像生成手段により生成された前記読取用紙の画像を解析することにより、前記マーク欄それぞれにおいて前記数字表示欄それぞれが選択されているか否か及び前記￥マーク表示欄が選択されているか否かを認識することにより、前記項目欄で表される内容の認識処理を行う認識手段とを備え、
前記認識手段は、前記項目欄が金額欄である場合、最下位桁のマーク欄から順に該マーク欄で表される数字の認識処理を行い、前記￥マーク表示欄が選択されているマーク欄が存在した場合、該￥マーク表示欄が選択されているマーク欄より上位桁のマーク欄の認識処理を行わないことを特徴とする読取システム。
【請求項２】
読取装置で読み取るための項目欄が設けられた読取用紙であって、
前記項目欄には、略正方形状のマーク欄が複数設けられており、
前記マーク欄それぞれには、前記マーク欄の周縁に沿って０から９までのそれぞれの数字を表示する１０個の数字表示欄が設けられていることを特徴とする読取用紙。
【請求項３】
前記マーク欄には、前記項目欄で表される内容を取り消すための取消欄が前記マーク欄の周縁の１箇所に設けられていることを特徴とする請求項２に記載の読取用紙。
【請求項４】
前記項目欄には金額を表す金額欄が含まれ、
前記金額欄に設けられた各桁に対応する前記マーク欄には、０から９までのそれぞれの数字を表示する１０個の数字表示欄に加えて、￥マークを表示する￥マーク表示欄が前記マーク欄の周縁の１箇所に設けられていることを特徴とする請求項２又は３に記載の読取用紙。
【請求項５】
前記項目欄にはコードを表すコード欄が含まれ、
前記コード欄に設けられた複数の前記マーク欄には、０から９までのそれぞれの数字を表示する１０個の数字表示欄に加えて、アルファベットを表示するアルファベット表示欄が前記マーク欄の周縁に沿って１又は複数設けられていることを特徴とする請求項２から４の何れか１項に記載の読取用紙。